(57)【要約】【課題】異物の侵入を低減可能な小型のレンズ鏡筒を提供する。【解決手段】レンズ鏡筒は、レンズと、レンズを遮蔽または露出させるように回転可能なバリアと、バリアを駆動する駆動手段と、バリアと駆動手段との間を隔てるバリア地板と、バリア地板を貫通する軸部を備え、軸部を中心に回転して駆動手段の駆動力を伝達することによりバリアを駆動可能な中間部材と、バリア地板と軸部との間の第１領域を密閉する密閉手段とを有し、中間部材の回転中心と光軸との間の第１距離は、バリアの回転中心と光軸との間の第２距離よりも小さい。【選択図】図４
2016038479.tif 000002
【特許請求の範囲】
【請求項１】
レンズと、
前記レンズを遮蔽または露出させるように回転可能なバリアと、
前記バリアを駆動する駆動手段と、
前記バリアと前記駆動手段との間を隔てるバリア地板と、
前記バリア地板を貫通する軸部を備え、該軸部を中心に回転して前記駆動手段の駆動力を伝達することにより前記バリアを駆動可能な中間部材と、
前記バリア地板と前記軸部との間の第１領域を密閉する密閉手段と、を有し、
前記中間部材の回転中心と光軸との間の第１距離は、前記バリアの回転中心と光軸との間の第２距離よりも小さいことを特徴とするレンズ鏡筒。
【請求項２】
前記レンズを保持し、前記バリア地板に対して光軸方向に進退可能な鏡筒を更に有し、
前記密閉手段は、前記バリア地板と前記鏡筒との間の第２領域を密閉していることを特徴とする請求項１に記載のレンズ鏡筒。
【請求項３】
前記駆動手段は、前記鏡筒を駆動することを特徴とする請求項２に記載のレンズ鏡筒。
【請求項４】
前記バリアは、前記レンズを遮蔽する際に、前記光軸から見て前記レンズと径方向において重なる遮蔽部を有し、
前記バリアは、前記レンズを露出させた状態で、前記光軸に直交する方向から見て、前記遮蔽部および前記鏡筒の少なくとも一部が互いに重なっていることを特徴とする請求項２または３に記載のレンズ鏡筒。
【請求項５】
前記密閉手段は、
前記光軸を中心とした円板状の平板部と、
前記中間部材の前記軸部を中心とした回転体形状のＯリング部と、を有し、
前記Ｏリング部は、前記平板部と前記バリア地板との接着により光軸方向に支持されていることを特徴とする請求項１乃至４のいずれか１項に記載のレンズ鏡筒。
【請求項６】
前記密閉手段は、
前記光軸を中心とした円筒形状の開口部と、
前記平板部と前記開口部との間を連結するＵ字状のベローズ部と、を更に有することを特徴とする請求項５に記載のレンズ鏡筒。
【請求項７】
前記密閉手段は、
平板部と、
前記光軸を中心とした円筒形状の円筒部と、
前記円筒部の内周に設けられた、前記光軸を中心とした円環形状のリップ部と、を有することを特徴とする請求項２乃至４のいずれか１項に記載のレンズ鏡筒。
【請求項８】
前記リップ部は、該リップ部の内周が前記鏡筒により押し広げられるように変形していることを特徴とする請求項７に記載のレンズ鏡筒。
【請求項９】
前記密閉手段は、前記光軸を中心とした円環形状の弾性体からなるパッキンであることを特徴とする請求項１乃至８のいずれか１項に記載のレンズ鏡筒。
【請求項１０】
請求項１乃至９のいずれか１項に記載のレンズ鏡筒を有することを特徴とする撮像装置。
【発明の詳細な説明】
【技術分野】
【０００１】
本発明は、水や埃などの異物の侵入を防ぐ防水機能または防塵機能を有するレンズ鏡筒に関する。
【背景技術】
【０００２】
従来から、非撮影時に撮影レンズを保護するため、着脱可能なレンズキャップに代えて、撮像装置の動作に連動して開閉可能なレンズバリアを備えたレンズ鏡筒が知られている。また、外部との隙間を弾性部材により密閉し、水や埃などの異物の侵入を防ぐレンズ鏡筒がある。特許文献１には、バリアの回転中心と同軸の回転軸を備えたバリア駆動機構において、バリア地板と回転軸との間にＯリングを設けて防水化したレンズ鏡筒が開示されている。
【０００３】
バリアが開いて形成された空間にレンズの一部を進退させて、小型化および繰出し量の延長を図ったレンズ鏡筒がある。特許文献２には、バリア駆動環の回動により、レンズ支持部材が光軸方向に移動可能なレンズ鏡筒が開示されている。
【先行技術文献】
【特許文献】
【０００４】
【特許文献１】特開２００６−１３３６８２号公報
【特許文献２】特開２００８−０２６７１６号公報
【発明の概要】
【発明が解決しようとする課題】
【０００５】
ところで、レンズ鏡筒の外径を小さくするには、バリアの回転中心を光軸から離れた外側に設け、バリアの回転角を小さくするとともに退避スペースを小さくすることが望ましい。しかし、特許文献１に開示されたレンズ鏡筒では、Ｏリングを配置するスペースが必要となるため、Ｏリングを設けない構成と比較して、バリアの回転中心が光軸に近い内側に配置され、外径が大型化してしまう。また、特許文献２に開示された小型のレンズ鏡筒において異物の侵入を防ぐには、バリア機構に加えて、レンズ支持部材と外装との間の隙間も密閉する必要がある。
【０００６】
そこで本発明は、異物の侵入を低減可能な小型のレンズ鏡筒および撮像装置を提供する。
【課題を解決するための手段】
【０００７】
本発明の一側面としてのレンズ鏡筒は、
レンズと、前記レンズを遮蔽または露出させるように回転可能なバリアと、前記バリアを駆動する駆動手段と、前記バリアと前記駆動手段との間を隔てるバリア地板と、前記バリア地板を貫通する軸部を備え、該軸部を中心に回転して前記駆動手段の駆動力を伝達することにより前記バリアを駆動可能な中間部材と、前記バリア地板と前記軸部との間の第１領域を密閉する密閉手段とを有し、前記中間部材の回転中心と光軸との間の第１距離は、前記バリアの回転中心と光軸との間の第２距離よりも小さい。
【０００８】
本発明の他の側面としての撮像装置は、前記レンズ鏡筒を有する。
【０００９】
本発明の他の目的及び特徴は、以下の実施例において説明される。
【発明の効果】
【００１０】
本発明によれば、異物の侵入を低減可能な小型のレンズ鏡筒および撮像装置を提供することができる。
【図面の簡単な説明】
【００１１】
【図１】実施例１における撮像装置の断面図である。
【図２】実施例１における鏡筒ユニットの分解斜視図である。
【図３】実施例１におけるカム環の展開図である。
【図４】実施例１におけるバリアユニットの正面図および断面図である。
【図５】実施例１におけるバリアユニットの分解斜視図である。
【図６】実施例１における撮像装置の動作を示すフローチャートである。
【図７】実施例１における鏡筒ユニットの光軸方向から見た断面図である。
【図８】実施例１における鏡筒ユニットの光軸に直交する方向から見た断面図である。
【図９】実施例１におけるバリアユニットの正面図である。
【図１０】実施例１において、回転軸Ａの位置とバリアの回転角との関係を示す説明図である。
【図１１】実施例２におけるバリアユニットの正面図および断面図である。
【発明を実施するための形態】
【００１２】
以下、本発明の実施例について、図面を参照しながら詳細に説明する。
【実施例１】
【００１３】
まず、図１および図２を参照して、本発明の実施例１における撮像装置の構成について説明する。図１は、本実施例における撮像装置１００の断面図である。図１は、撮像装置１００の光軸Ｏを通り光軸Ｏに平行な面における断面を示し、図１の左側（光軸Ｏの矢印方向）を正方向、光軸Ｏに直交する方向を径方向、および、光軸Ｏを中心に回転する方向を周方向とそれぞれ定義する。図２は本実施例における鏡筒ユニット１００ａ（レンズ鏡筒）の分解斜視図であり、図２（ａ）は正方向、図２（ｂ）は負方向から見た図をそれぞれ示している。図２において、外装環１０８およびＯリング１０９については省略している。
【００１４】
１０１は、複数のレンズ（ズームレンズやフォーカスレンズなど）を有する光学系である。１０１ａは、光軸Ｏを中心とした回転体形状を有するズームレンズである。ズームレンズ１０１ａは、後述の鏡筒１０２に固定され、光軸方向に移動して光軸Ｏの正方向側に位置する被写体から入射した像（光学像）の倍率を変更することが可能である。１０１ｂは、光軸Ｏを中心とした回転体形状を有するフォーカスレンズである。フォーカスレンズ１０１ｂは、不図示の駆動機構により光軸方向に移動可能であり、光軸Ｏの正方向側に位置する被写体からズームレンズ１０１ｂを介して入射した像（光学像）を、後述の撮像素子１１７ａに結像させることができる。
【００１５】
１０２は、光軸Ｏを中心とした円筒形状を有する鏡筒（レンズ保持手段）である。鏡筒１０２は、光軸Ｏの正方向に延出し、光軸Ｏを中心とした外径Ｄ１の円筒部１０２ａを備えている。鏡筒１０２は、ズームレンズ１０１ａを固定（保持）している。ズームレンズ１０１ａと円筒部１０２ａとの間の領域は、水や埃などの異物が侵入しないように密閉されている。鏡筒１０２は、光軸方向に延出し、周方向に等間隔に配置された３つの直進溝１０２ｂを備えている。また鏡筒１０２の内周には、径方向の内側に延出し、周方向に等間隔に配置された円筒形状の３つのコロ１０２ｃが設けられている。
【００１６】
１０３は、光軸Ｏを中心とした円環形状を有する案内筒である。案内筒１０３の外周は、後述のカム環１０４の内周と嵌合している。案内筒１０３は、カム環１０４を周方向に回転可能に支持するとともに、光軸方向にはカム環１０４と一体的に移動可能である。案内筒１０３の外周には、径方向の外側に延出し、周方向に等間隔に配置された３つの直進キー１０３ａが設けられている。直進キー１０３ａはそれぞれ、直進溝１０２ｂと周方向に嵌合しており、鏡筒１０２を光軸方向に移動可能に支持している。案内筒１０３の内周には、光軸方向に延出し、周方向に等間隔に配置された３つの直進溝１０３ｂが形成されている。
【００１７】
１０４は、光軸Ｏを中心とした円環形状を有するカム環（駆動手段）である。カム環１０４は、所定の軌跡に沿って光軸Ｏを中心としたらせん状に延出し、周方向に等間隔に配置され径方向に貫通する３つのカム溝１０４ａを備えている。カム溝１０４ａはそれぞれ、コロ１０２ｃと光軸方向に嵌合しており、鏡筒１０２を光軸方向に支持している。またカム環１０４は、所定の軌跡に沿って光軸を中心としたらせん状に延出し、周方向に等間隔に配置され径方向に貫通する３つのカム溝１０４ｂを備えている。カム溝１０４ｂの外周には、径方向の外側に延出し、周方向に等間隔に配置された円筒形状の３つのコロ１０４ｃが設けられている。またカム溝１０４ｂの光軸方向先端の内周には、周方向に延出し、周方向に等間隔に配置された２つの溝部１０４ｄが形成されている。
【００１８】
続いて、図３を参照して、カム筒１０４に形成されたカム溝１０４ａ、カム溝１０４ｂ、および、溝部１０４ｄについて説明する。図３は、カム環１０４の展開図であり、カム環１０４を周方向に展開して内側から見た状態を示している。図３において、カム環１０４が光軸Ｏの正方向から見て時計回りに回転する方向をθ、カム溝１０４ａ、１０４ｂのそれぞれの中心の軌跡とθ方向とがなす角を勾角とする。また図３において、（１）〜（４）は、撮像装置１００の各状態におけるコロ１０２ｃおよび後述するコロ１１０ａの停止位置を示している。カム環１０４がθ方向に回転すると、コロ１０２ｃおよびコロ１１０ａは、図３中の（１）から（４）まで移動する。
【００１９】
カム溝１０４ｂに関しては、（１）から（２）までの回転角ｄ１の間の勾角はゼロ、（２）から（３）までの回転角ｄ２の間の勾角はα、（３）から（４）までの回転角ｄ３の間の勾角はαである。一方、カム溝１０４ａに関しては、（１）から（２）までの回転角ｄ１の間の勾角はゼロ、（２）から（３）までの回転角ｄ２の間の勾角はβ、（３）から（４）までの回転角ｄ３の間の勾角はαである。勾角βは、勾角αよりも大きい。その結果、（２）から（３）までの回転角ｄ２の間に鏡筒１０２が光軸方向に移動する距離は、後述するバリア地板１１０が光軸方向に移動する距離よりも大きい。なおカム溝１０６ａは、カム溝１０４ｂと同等の形状を有する。
【００２０】
続いて、図８を参照して、鏡筒ユニット１００ａ（レンズ鏡筒）の各状態について説明する。図８は、鏡筒ユニット１００ａの光軸Ｏに直交する方向（光軸直交方向）から見た断面図である。図８（ａ）は鏡筒ユニット１００ａの第１状態、図８（ｂ）は鏡筒ユニット１００ａの第２状態を示し、当接部１１３ｅを通る面における光軸直交方向から見た断面図である。溝部１０４ｄは、光軸Ｏを中心とした半径Ｒ１の溝部１０４ｄ１と、光軸Ｏを中心とした半径Ｒ２の溝部１０４ｄ２に、周方向に分割されている。半径Ｒ２は半径Ｒ１よりも大きく、溝部１０４ｄ１と溝部１０４ｄ２は滑らかな斜面で連結されている。溝部１０４ｄ１と溝部１０４ｄ２の間の回転角ｄ４は、図３中の（１）から（２）までの回転角ｄ１よりも小さい。
【００２１】
１０５は、光軸Ｏを中心とした円環形状を有する回転筒である。回転筒１０５は、光軸方向に延出し、周方向に等間隔に配置され、径方向に貫通する３つの直進溝１０５ａを備えている。直進溝１０５ａはそれぞれ、コロ１０４ｃと周方向に嵌合しており、カム環１０４を光軸方向に移動可能に支持している。
【００２２】
１０６は、光軸Ｏを中心とした円筒形状を有する固定筒である。固定筒１０６の外周は、回転筒１０５の内周と摺動可能に嵌合しており、回転筒１０５に対して光軸Ｏの正方向の当接面で当接している。これにより、固定筒１０６は、回転筒１０５の径方向および光軸方向の移動を規制するとともに、周方向の回転を可能に支持している。固定筒１０６は、所定の軌跡に沿って光軸Ｏを中心としたらせん状に延出し、周方向に等間隔に配置され、径方向に貫通する３つのカム溝１０６ａを備えている。カム溝１０６ａはそれぞれ、コロ１０４ｃと光軸方向に嵌合しており、カム環１０４ｃを光軸方向に支持している。また固定筒１０６は、光軸Ｏの正方向に延出し、周方向に等間隔に配置された３つの直進キー１０６ｂを備えている。直進キー１０６ｂはそれぞれ、直進溝１０３ｂと周方向に嵌合しており、案内筒１０３を光軸方向に移動可能に支持している。また固定筒１０６には、光軸Ｏの負方向の面において、光軸Ｏを中心とした円環形状のマウント１０６ｃが設けられている。
【００２３】
１０７は、モータおよびギヤ列を有する駆動部である。駆動部１０７は、固定筒１０６に固定されている。駆動部１０７は、回転筒１０５とギヤ連結され、回転筒１０５を周方向に回転駆動させることが可能である。回転筒１０５が回転すると、直進溝１０５ａおよびカム溝１０６ａにより支持されたコロ１０４ｃが駆動され、カム溝１０６ａに沿ってカム環１０４が周方向に回転しながら光軸方向に移動する。
【００２４】
１０８は、光軸Ｏを中心とした円筒形状を有する外装環である。外装環１０８は、固定筒１０６に固定されており、外装環１０８と固定筒１０６との間の領域は、水や埃などの異物が侵入しないように密閉されている。外装環１０８の光軸正方向の先端には、光軸Ｏを中心とした円形の開口部１０８ａが設けられている。
【００２５】
１０９は、光軸Ｏを中心とした回転体形状を有し、その断面が円形状の弾性体からなるＯリングである。Ｏリング１０９は、開口部１０８ａに径方向の外側へ向かって掘られた溝部に挿入されて光軸方向に支持されるとともに、その外周が径方向内側に押しつぶされるように変形している。Ｏリング１０９は、バリアユニット１００ｂが光軸方向に摺動可能であるように、バリアユニット１００ｂに対して径方向に当接するとともに、バリアユニット１００ｂが挿入されてその内周が径方向の外側に押し広げられるように変形している。
【００２６】
続いて、図４および図５を参照して、バリアユニット１００ｂの構成について説明する。図４（ａ）は、バリアユニット１００ｂの正面図である。図４（ｂ）は、図４（ａ）に示される光軸Ｏ、回転軸Ａ、および、回転軸Ｂを通る線Ｅ−Ｅに沿ったバリアユニット１００ｂの断面図である。図５は、バリアユニット１００ｂの分解斜視図であり、図５（ａ）は正方向、図５（ｂ）は負方向から見た図をそれぞれ示している。
【００２７】
１１０は、光軸Ｏを中心とした円筒形状を有するバリア地板である。バリア地板１１０の内周には、径方向の内側に延出し、周方向に等間隔に配置された円筒形状の３つのコロ１１０ａが設けられている。コロ１１０ａはそれぞれ、カム溝１０４ｂと光軸方向に嵌合しており、カム環１０４に対して光軸方向に支持されている。コロ１１０ａはそれぞれ、直進溝１０４ｂと周方向に嵌合しており、案内筒１０３に対して周方向に支持されている。
【００２８】
バリア地板１１０の光軸正方向の先端には、光軸Ｏに直交する円板状の地板部１１０ｂが設けられている。地板部１１０ｂには、光軸Ｏを中心とし、光軸方向に貫通する円筒形状の開口部１１０ｃが設けられている。また地板部１１０ｂには、光軸点対称に配置され光軸正方向に開口した有底の円筒形状の２つの穴部１１０ｄ、および、光軸点対称に配置され光軸方向に貫通する円筒形状の２つの穴部１１０ｅが設けられている。開口部１１０ｃの内部には、円筒部１０２ａが挿入されている。穴部１１０ｅの周囲には、穴部１１０ｅと同軸で光軸正方向に開口した有底の円環形状の溝部１１０ｆが設けられている。地板部１１０ｂには、光軸点対称に配置され光軸正方向に延出した円筒形状の２つのフック部１１０ｇが設けられている。地板部１１０ｂには、光軸点対称に配置され光軸正方向に延出した円筒形状の２つの当接部１１０ｈが設けられている。
【００２９】
１１１は、光軸Ｏに直交する平板形状を有するバリアである。バリア１１１は、地板部１１０ｂに対して光軸Ｏの正方向側に配置されている。地板部１１０ｂは、バリア１１１とカム環１０４とを光軸方向において互いに隔離するように構成されている。バリア１１１には、光軸負方向に延出する円筒形状の軸部１１１ａが設けられている。軸部１１１ａは、穴部１１０ｄと嵌合している。これによりバリア１１１は、穴部１１０ｄおよび軸部１１１ａを中心とする光軸Ｏに平行な回転軸Ａを中心に回転可能に支持されている。バリア１１１を所定の位置に回転させると、バリア１１１と当接部１１０ｈとが互いに当接する。またバリア１１１には、光軸Ｏに直交する半円の平板形状の遮光部１１１ｂ（遮蔽部）が設けられている。またバリア１１１には、光軸負方向に延出した円筒形状のフック部１１１ｃ、および、光軸負方向に延出した円筒形状のフック部１１１ｄが設けられている。
【００３０】
１１２は、引張りコイルばね形状を有する開きばねである。開きばね１１２は、その両端がフック部１１０ｇおよびフック部１１１ｃにそれぞれ固定されており、バリア１１１を、遮光部１１１ｂがズームレンズ１０１ａを露出させる回転方向に付勢している。
【００３１】
１１３は、光軸Ｏと平行な軸を中心とする円筒形状を有する回転レバー（中間部材）である。回転レバー１１３には、地板部１１０ｂを貫通し光軸方向に延出する円筒形状の軸部１１３ａが設けられ、穴部１１０ｅと嵌合している。これにより、回転レバー１１３は、軸部１１３ａを中心とする光軸Ｏに平行な回転軸Ｂを中心に、回転可能に支持されている。本実施例において、回転レバー１１３の回転軸Ｂと光軸Ｏとの間の距離ＬＢは、バリア１１１の回転軸Ａと光軸Ｏとの間の距離ＬＡよりも小さい。軸部１１３ａの光軸正方向の先端には、光軸直交方向に延出するレバー形状の当接部１１３ｂが設けられ、その一端がバリア１１１に当接している。当接部１１３ｂには、光軸負方向に延出した円筒形状のフック部１１３ｃが設けられている。
【００３２】
また回転レバー１１３には、鏡筒１０２を貫通し、軸部１１３ａに対して光軸負方向に延出する回転軸Ｂを中心とした円筒形状の軸部１１３ｄが設けられている。軸部１１３ａおよび軸部１１３ｄは、地板部１１０ｂを光軸方向に狭持するように固定されており、回転軸Ｂを中心として一体に回転可能に支持されている。軸部１１３ｄの光軸負方向の先端には、光軸直交方向に延出するレバー形状の当接部１１３ｅが設けられ、その一端が溝部１０４ｄに当接している。
【００３３】
１１４は、引張りコイルばね形状を有する閉じばねである。閉じばね１１４の両端は、フック部１１１ｄおよびフック部１１３ｃにそれぞれ固定されており、閉じばね１１４は、常にバリア１１１と当接部１１３ｂが当接するように付勢している。
【００３４】
バリア１１１、開きばね１１２、回転レバー１１３、および、閉じばね１１４は、光軸Ｏを基準として点対称となるようにそれぞれ２つずつ配置されている。
【００３５】
１１５は、光軸Ｏを中心とした円環形状の弾性体からなるパッキン（密閉手段）である。パッキン１１５には、光軸Ｏに直交して光軸Ｏを中心とした円板状の平板部１１５ａが設けられ、光軸負方向の面が地板部１１０ｂの光軸正方向の面と全周で接着固定されている。パッキン１１５には、回転軸Ｂを中心とした回転体形状を有し、その断面が円形状である２つのＯリング部１１５ｂが設けられている。Ｏリング部１１５ｂは、平板部１１５ａと地板部１１０ｂとの接着固定により光軸方向に支持されるとともに、溝部１１０ｆに挿入されてその外周が径方向内側に押しつぶされるように変形している。Ｏリング部１１５ｂは、軸部１１３ｅが回転軸Ｂを中心とした回転方向に摺動可能であるように軸部１１３ｅと径方向に当接するとともに、軸部１１３ｅが挿入されてその内周が径方向外側に押し広げられるように変形している。またパッキン１１５には、光軸Ｏを中心とした円筒形状の開口部１１５ｃが設けられ、その内周のうち光軸正方向の先端が円筒部１０２ａの外周面と全周で接着固定されている。平板部１１５ａと開口部１１５ｃとの間は、光軸Ｏを中心とした回転体形状を有し、その断面が光軸正方向に開いたＵ字状のベローズ部１１５ｄにより連結されている。
【００３６】
１１６は、光軸Ｏを中心とした円筒形状のカバーである。カバー１１６の内周は、バリア地板１１０の外周と嵌合して固定されている。カバー１１６とバリア地板１１０との間の領域は、水や埃などの異物が侵入しないように密閉されている。カバー１１６は、光軸Ｏを中心とした開口部を有し、地板部１１０ｂの開口部１１０ｃを除く部分、開きばね１１２、回転レバー１１３、および、閉じばね１１４を覆っている。
【００３７】
以上のように、バリア地板１１０、バリア１１１、開きばね１１２、回転レバー１１３、閉じばね１１４、パッキン１１５、および、カバー１１６により、バリアユニット１００ｂが構成される。また、光学系１０１、鏡筒１０２、案内筒１０３、カム環１０４、回転筒１０５、固定筒１０６、駆動部１０７、外装環１０８、Ｏリング１０９、および、バリアユニット１００ｂにより、鏡筒ユニット１００ａが構成される。
【００３８】
１１７は、カメラボディ（撮像装置本体）である。カメラボディ１１７には、ＣＭＯＳセンサなどの光電変換素子を有する撮像素子１１７ａが配置されている。撮像素子１１７ａは、光学系１０１を介して被写体から入射した光線（光学系１０１を介して形成された光学像）を画像（像信号）に変換することが可能である。またカメラボディ１１７には、光軸正方向の面に、光軸Ｏを中心とした円環形状のマウント１１７ｂが設けられている。マウント１１７ｂおよびマウント１０６ｃを介して、鏡筒ユニット１００ａはカメラボディ１１７に対して着脱可能に固定されている。固定筒１０６とカメラボディ１１７との間の領域は、水や埃などの異物が侵入しないように密閉されている。
【００３９】
１１８はレンズマイコンなどの制御回路（制御手段）である。制御回路１１８は、駆動部１０７に対して駆動信号（制御信号）を出力し、駆動部１０７を制御する。
【００４０】
続いて、図６乃至図９を参照して、撮像装置１００の動作について説明する。図６は、撮像装置１００の動作を示すフローチャートである。図６の各ステップは、主に、制御回路１１８の指令に基づいて実行される。図７は、鏡筒ユニット１００ａの各状態（図７（ａ）：第１状態、図７（ｂ）：第２状態、図７（ｃ）：第３状態、図７（ｄ）：第４状態）における光軸Ｏおよび回転軸Ｂを通る面での断面図である。図８は、鏡筒ユニット１００ａの各状態（図８（ａ）：第１状態、図８（ｂ）：第２状態）における光軸Ｏに直交して当接部１１３ｅを通る面による断面図である。図９は、バリアユニット１００ｂの各状態（図９（ａ）：第１状態、図９（ｂ）：第２状態）における正面図である（カバー１１６は省略）。本実施例において、撮像装置１００は、後述する第１状態（図７（ａ）、図８（ａ）、図９（ａ））、第２状態（図７（ｂ）、図８（ｂ）、図９（ｂ））、第３状態（図７（ｃ））、および、第４状態（図７（ｄ））となり得る。
【００４１】
まず、電源がＯＮされる前の撮像装置１００の状態である第１状態について説明する。コロ１０２ｃおよびコロ１１０ａは、図３中の（１）に位置する。また図７（ａ）に示されるように、鏡筒１０２およびバリア地板１１０はそれぞれ、最も光軸負方向の位置にある。外装環１０８の光軸正方向の先端位置とバリアユニット１００ｂの光軸正方向の先端位置は光軸方向に一致しており、鏡筒ユニット１００ａの光軸方向の長さが最小となっている。円筒部１０２ａは、遮光部１１１ｂに対して光軸負方向に一定の距離で離間しており、両者は干渉しない。図８（ａ）に示されるように、当接部１１３ｅは溝部１０４ｄ１に当接しており、カム環１０４から回転レバー１１３がＢ１方向の回転力を受ける。図９（ａ）に示されるように、Ｂ１方向の回転力は、閉じばね１１４を介してバリア１１１に働き、バリア１１１はＡ１方向に回転力を受ける。バリア１１１は、開きばね１１２に抗してＡ１方向に回転し、２つの遮光部１１１ｂが光軸Ｏで互いに当接して停止する。遮光部１１１ｂは、光軸方向から見てズームレンズ１０１ａと径方向において重なっており、ズームレンズ１０１ａを外部から遮蔽する。
【００４２】
図６のステップＳ１０１において、撮像装置１００の電源がＯＮされると、ステップＳ１０２において、制御回路１１８はバリア１１１を開く（バリア開動作を行う）。バリア開動作が開始すると、制御回路１１８から駆動部１０７に対して駆動信号が入力され、回転筒１０５の回転に連動してカム環１０４が回転する。カム環１０４を図３のθ方向に回転角ｄ１だけ回転させると、制御回路１１８はバリア開動作を終了する。
【００４３】
続いて、バリア開動作が終了した後の撮像装置１００の状態である第２状態について説明する。コロ１０２ｃおよびコロ１１０ａは、図３中の（２）に位置する。回転角ｄ１の間でカム溝１０４ｂ、カム溝１０４ａ、および、カム溝１０６ａの勾角はゼロである。このため、図７（ｂ）に示されるように、外装環１０８およびバリアユニット１００ｂの光軸方向位置は、第１状態と同じである。図８（ｂ）に示されるように、当接部１１３ｅは、溝部１０４ｄ１よりも半径が大きい溝部１０４ｄ２に対向しており、溝部１０４ｄと径方向に離間して、カム環１０４と回転レバー１１３との間に力は働かない。図９（ｂ）に示されるように、バリア１１１は、開きばね１１２の弾性力によりＡ２方向に回転力を受ける。２つのバリア１１１が当接部１１０ｈにそれぞれ当接し、遮光部１１１ｂが退避してズームレンズ１０１ａを露出させた状態で停止する。第２状態では、第１状態を基準として、回転角θｂだけバリア１１１が回転する。Ａ２方向の回転力は、閉じばね１１４を介して回転レバー１１３に働き、回転レバー１１３はＢ２方向に回転する。
【００４４】
図６のステップＳ１０２にてバリア開動作が行われた後、ステップＳ１０３において、制御回路１１８は繰出し動作を行う。繰出し動作が開始されると、制御回路１１８は、駆動部１０７に対して駆動信号を出力し、回転筒１０５の回転に連動してカム環１０４が回転する。カム環１０４を図３のθ方向に回転角ｄ２だけ回転させると、制御回路１１８は繰出し動作を終了する。
【００４５】
続いて、繰出し動作が終了した後の撮像装置１００の状態である第３状態について説明する。コロ１０２ｃおよびコロ１１０ａは、図３中の（３）に位置する。回転角ｄ２の間において、カム溝１０６ａの勾角はαである。このため、図７（ｃ）に示されるように、案内筒１０３およびカム環１０４は、光軸正方向に所定量だけ移動する。回転角ｄ２の間において、カム溝１０４ａの勾角はβ、カム溝１０４ｂの勾角はαである。このため、図７（ｃ）に示されるように、鏡筒１０２およびバリア地板１１０は、カム筒１０４に対して、光軸正方向に所定量だけ移動する。溝部１０４ｄおよび当接部１１３ｅは、光軸方向に離間しているため、カム環１０４と回転レバー１１３との間に力が働かず、第２状態と同様に、遮光部１１１ｂが退避してズームレンズ１０１ａを露出させた状態で停止する。第１状態において、バリアユニット１００ｂ内で遮光部１１１ｂが位置していた空間をＣ（図７（ａ）の点線で示す）とする。勾角βは勾角αより大きい。このため、図７（ｃ）に示されるように、鏡筒１０２は光軸正方向にバリア地板１１０よりも大きく移動し、円筒部１０２ａの一部が空間Ｃの中に挿入され、ズームレンズ１０１ａが撮像素子１１７ａに被写体像を結像可能な位置に移動する。すなわち、鏡筒１０２は、カム環１０４により駆動され、バリア地板１１０に対して光軸方向に進退し、バリア１１１がズームレンズ１０１ａを露出させた際に光軸Ｏに直交する方向から見て遮蔽部１１１ｂと鏡筒１０２との少なくとも一部が互いに重なる。
【００４６】
図６のステップＳ１０３にて繰出し動作が行われた後、ステップＳ１０４において、制御回路１１８は、ズーム駆動信号（ズーム信号）が入力されたか否かを判定する。制御回路１１８にズーム駆動信号が入力された場合、ステップＳ１０５において、制御回路１１８はズーム動作を行う。ステップＳ１０５にてズーム動作が行われると、制御回路１１８は、駆動部１０７に対して駆動信号を出力し、回転筒１０５の回転に連動してカム環１０４が回転する。カム環１０４を図３のθ方向に回転角ｄ３の範囲でズーム駆動信号に応じた回転角だけ回転させると、制御回路１１８はズーム動作を終了する。
【００４７】
続いて、回転角ｄ３に相当するズーム駆動信号が入力された場合において、ズーム動作が終了した後の撮像装置１００の状態である第４状態について説明する。コロ１０２ｃおよびコロ１１０ａは、図３中の（４）に位置する。回転角ｄ２の間において、カム溝１０６ａの勾角はαである。このため、図７（ｄ）に示されるように、案内筒１０３およびカム環１０４は、光軸正方向に所定量だけ移動する。回転角ｄ２の間において、カム溝１０４ａおよびカム溝１０４ｂの勾角はαである。このため、図７（ｄ）に示されるように、鏡筒１０２およびバリア地板１１０は、カム筒１０４に対して光軸正方向に同じ量だけ移動する。カム環１０４を回転角ｄ３の間で任意の回転角だけ回転させることにより、鏡筒１０２に固定されたズームレンズ１０１ａは光軸方向に移動する。これにより、被写体から入射して撮像素子１１７ａに結像する像の倍率を自在に変更するズーム動作が可能となる。
【００４８】
ステップＳ１０４にて制御回路１１８にズーム駆動信号（ズーム信号）が入力されない場合、または、ステップＳ１０５にてズーム動作が行われた後、ステップＳ１０６に進む。ステップＳ１０６において、制御回路１１８は、電源がＯＦＦになったか否かを判定する。電源がＯＦＦになっていない場合、ステップＳ１０４に戻り、制御回路１１８はズーム駆動信号の有無を判定する。一方、ステップＳ１０６にて電源がＯＦＦされた場合、ステップＳ１０７において、制御回路１１８は沈胴動作を行う。沈胴動作が開始すると、制御回路１１８は駆動部１０７に対して駆動信号を出力し、回転筒１０５の回転に連動してカム環１０４が回転する。このとき、まずカム環１０４を図３のθ方向と逆方向に回転させ、コロ１０２ｃおよびコロ１１０ａを図３中の（３）の位置に移動させて撮像装置１００を第３状態にする。その後、カム環１０４を図３のθ方向と逆方向に回転角ｄ２だけ回転させ、コロ１０２ｃおよびコロ１１０ａを図３中の（２）の位置に移動させて撮像装置１００を第２状態にする。これにより、制御回路１１８は沈胴動作を終了する。
【００４９】
図６のステップＳ１０７にて沈胴動作が行われた後、ステップＳ１０８において、制御回路１１８はバリア１１１を閉じる（バリア閉動作を行う）。バリア閉動作が開始すると、制御回路１１８は、駆動部１０７に対して駆動信号を出力し、回転筒１０５の回転に連動してカム環１０４が回転する。カム環１０４を図３のθ方向と逆方向に回転角ｄ１だけ回転させ、コロ１０２ｃおよびコロ１１０ａを図３中の（１）の位置に移動させて撮像装置１００を第１状態にする。これにより、制御回路１１８はバリア閉動作を終了する。ステップＳ１０８にてバリア閉動作が行われた後、ステップＳ１０９において、制御回路１１８は撮像装置１００の電源をＯＦＦする。
【００５０】
以上のように、バリア１１１は、回転することにより、ズームレンズ１０１ａを遮蔽または露出させることが可能である。また、回転レバー１１３は、カム環１０４の駆動力を伝達してバリア１１１を駆動することが可能である。
【００５１】
続いて、本実施例における撮像装置１００の効果について説明する。撮像装置１００の外部に露出する各部材の隙間から撮像装置１００の内部に水や埃などの異物が侵入すると、撮像装置１００の内部の機構や電子部品に影響を及ぼし、誤動作に繋がるおそれがある。異物が侵入する経路として、例えば、図１中のＦ１〜Ｆ３、および、図７（ｃ）中のＦ４〜Ｆ７で示される円環状の隙間が挙げられる。
【００５２】
Ｆ１は鏡筒ユニット１００ａとカメラボディ１１７との間の隙間、Ｆ２は固定筒１０６と外装環１０８との間の隙間、および、Ｆ３はズームレンズ１０１ａと円筒部１０２ａとの間の隙間である。これらの隙間Ｆ１〜Ｆ３は、前述のように、水や埃などの異物が侵入しないように密閉されている。
【００５３】
Ｆ４は外装環１０８とバリアユニット１００ｂとの間の隙間であり、隙間Ｆ４にはＯリング１０９が配置されている。Ｏリング１０９は、開口部１０８ａにより、その外周が径方向の内側に押しつぶされるように変形している。またＯリング１０９は、バリアユニット１００ｂによりその内周が径方向の外側に押し広げられるように変形している。Ｏリング１０９は、弾性体からなるため、変形により、Ｏリング１０９と開口部１０８ａとの間、および、Ｏリング１０９とバリアユニット１００ｂとの間には、径方向の押圧力が発生している。第２状態から第４状態までの間の動作において、外装環１０８およびバリアユニット１００ｂは光軸方向に相対移動するが、常に前述の押圧力が働き、隙間Ｆ４は水や埃などの異物が侵入しないように密閉される。
【００５４】
Ｆ５はバリア地板１１０とカバー１１６との間の隙間であり、第２状態から第４状態までの動作において外部に露出するが、前述のとおり、水や埃などの異物が侵入しないように密閉されている。
【００５５】
Ｆ６は軸部１１３ｅと溝部１１０ｆとの間の隙間であり、隙間Ｆ６にはＯリング部１１５ｂが配置されている。Ｏリング部１１５ｂは、溝部１１０ｆにより、その外周が径方向の内側に押しつぶされるように変形するとともに、軸部１１３ｅにより、その内周が径方向の外側に押し広げられるように変形している。パッキン１１５は、弾性体からなるため、変形により、Ｏリング部１１５ｂと溝部１１０ｆとの間、および、Ｏリング部１１５ｂと軸部１１３ｅとの間には、回転軸Ｂを中心とする径方向の押圧力が発生している。第１状態と第２状態との間の動作において、軸部１１３ｅおよび溝部１１０ｆは、回転軸Ｂを中心として相対回転するが、常に前述の押圧力が働き、隙間Ｆ６は水や埃などの異物が侵入しないように密閉される。すなわちパッキン１１５は、バリア地板１１０と軸部１１３ｅとの間の領域（第１領域）を密閉する。
【００５６】
Ｆ７は開口部１１０ｃと円筒部１１２ａとの間の隙間であり、隙間Ｆ７にはベローズ部１１５ｄが配置されている。ベローズ部１１５ｄは、平板部１１５ａと開口部１１５ｃを全周において連結している。平板部１１５ａは、開口部１１０ｃが設けられた地板部１１０ｂと全周において接着固定され、密閉されている。開口部１１５ｃは、円筒部１１２ａと全周において接着固定され、密閉されている。第２状態と第３状態との間の動作において、開口部１１０ｃおよび円筒部１１２ａは、光軸方向に相対移動し、それぞれに固定された平板部１１５ａおよび開口部１１５ｃも光軸方向に相対移動する。パッキン１１５は、弾性体からなるため、相対移動に追従してベローズ部１１５ｄが弾性変形することにより、平板部１１５ａと開口部１１５ｃの全周の連結は保たれ、隙間Ｆ７は水や埃などの異物が侵入しないように密閉される。すなわちパッキン１１５は、バリア地板１１０と軸部１１３ｅの間の領域（第１領域）に加えて、バリア地板１１０と鏡筒１０２との間の領域（第２領域）も密閉する。
【００５７】
以上のように、本実施例の撮像装置１００は、外部に露出する各部材の隙間Ｆ１〜Ｆ７が密閉されるように構成されている。これにより、撮像装置１００の内部に水や埃などの異物が侵入することを防止または低減することができ、異物が存在する環境下において、撮像装置１００は正常に動作可能となる。
【００５８】
ズームレンズ１０１ａを露出させた状態で撮像装置１００を携帯すると、手や他の携行品がズームレンズ１０１ａに接触して汚れや傷が付着し、撮影時に撮像素子１１７ａに結像される被写体像の品位が低下するおそれがある。そこで本実施例の撮像装置１００は、電源ＯＮに連動してバリア１１１が回転してズームレンズ１０１ａを露出させ、電源ＯＦＦに連動してバリア１１１が回転してズームレンズ１０１ａを遮蔽する。このため、非撮影時にズームレンズ１０１ａを保護することができ、被写体像の品位が低下することを防ぐことが可能となる。
【００５９】
図１０は、回転軸Ａの位置とバリア１１１の回転角との関係を示す説明図である。図１０（ａ）は回転軸Ａと光軸Ｏとの間の距離ＬＡがＬＡ１（ＬＡ＝ＬＡ１）である場合、図１０（ｂ）は回転軸Ａと光軸Ｏとの間の距離ＬＡがＬＡ２（ＬＡ＝ＬＡ２）である場合をそれぞれ示している。距離ＬＡ１、ＬＡ２は、以下の式（１）で表される関係を有する。
【００６０】
ＬＡ１＜ＬＡ２  …  （１）
このとき、必要な開口半径Ｒまで退避するのに必要なバリア１１１の回転角θｂ１、θｂ２は、それぞれ、以下の式（２）、（３）のように表される。
【００６１】
ｓｉｎθｂ１＝Ｒ／ＬＡ１  …  （２）
ｓｉｎθｂ２＝Ｒ／ＬＡ２  …  （３）
式（１）、（２）、（３）より、以下の式（４）の関係が満たされる。
【００６２】
θｂ１＞θｂ２  …  （４）
すなわち、回転軸Ａと光軸Ｏとの間の距離ＬＡが小さい場合、バリア１１１の回転角θｂを大きくする必要がある。回転角θｂが大きい場合、開きばね１１２の全長の変化が大きくなり、バリア１１１の開閉負荷が大きくなるため、駆動部１０７の大型化に伴う撮像装置１００の大型化や、消費電力の増大を招くおそれがある。また、光軸Ｏを中心とした開口時のバリア１１１の外接円の直径Ｄｂ１、Ｄｂ２を考えると、回転角θｂが大きいほど、バリア１１１の径方向の退避スペースが必要となり、バリアユニット１００ｂの大型化に伴う撮像装置１００の大型化を招くおそれがある。すなわち、回転軸Ａと光軸Ｏとの間の距離ＬＡを大きくすることにより、撮像装置１００の小型化が可能となる。
【００６３】
ここで、本実施例とは異なり、回転レバー１１３を用いることなく、軸部１１１ａをバリア地板１１０に貫通させて、カム環１０４の駆動力を伝達してバリア１１１を回転させる構成（直動構成）について考える。直動構成においては、穴部１１０ｄがバリア地板１１０を貫通する。このため、異物の侵入を防ぐために軸部１１１ａの周りにＯリング部１１５ｂと同等のシール部材、および、シール部材の固定部が必要となる。このため、そのスペースだけ回転軸Ａを光軸に近づける（回転軸Ａと光軸Ｏとの間の距離ＬＡを小さくする）ことが必要になる。
【００６４】
一方、本実施例の撮像装置１００は、軸部１１１ａは異物が侵入しない有底の穴部１１０ｄに嵌合しているため、軸部１１１ａの周りにシール部材は不要である。このため、回転軸Ａをバリア地板１１０の外径近くまで離す（回転軸Ａと光軸Ｏとの間の距離ＬＡを大きくする）ことができる。このため、回転角θｂおよび開きばね１１２の全長の変化を小さくすることができ、バリア１１１の開閉負荷を小さくして撮像装置１００を小型化することが可能となる。また、回転角θｂを小さくすることができ、バリア１１１の径方向の退避スペースを小さくして撮像装置１００を小型化することが可能となる。
【００６５】
本実施例の撮像装置１００は、回転レバー１１３を介して、カム環１０４の駆動力をバリア１１１に伝達する。また、軸部１１１ａよりも光軸Ｏに近い軸部１１３ａがバリア地板１１０を貫通し、その周りをＯリング部１１５ｂでシーリングしている。すなわちＯリング部１１５ｂは、平板部１１５ａ、開口部１１５ｃ、および、ベローズ部１１５ｄに近い位置に配置され、これらを一体的に形成することができる。また、一体的に形成した際の部品サイズを小さくすることができる。このため、撮像装置１００の部品点数の削減や低コスト化が可能となる。
【００６６】
本実施例の撮像装置１００は、電源ＯＮに連動してズームレンズ１０１ａが撮像素子１１７ａに被写体像（光学像）を結像可能な位置に移動する。また撮像装置１００は、電源ＯＦＦに連動してバリアユニット１００ｂが沈胴して鏡筒ユニット１００ａの光軸方向の長さが最小となる。このため、非撮影時に撮像装置１００を光軸方向に小型化することができる。沈胴動作や繰出し動作により、バリアユニット１００ｂは外装環１０８に対して図７（ｃ）に示される距離Ｌ１だけ移動する。したがって、非撮影時には沈胴により光軸方向に距離Ｌ１だけ小型化することができる。
【００６７】
また、本実施例の撮像装置１００は、電源ＯＮに連動して、光軸Ｏに直交する方向から見て遮蔽部１１１ｂおよび鏡筒１０２の少なくとも一部が互いに重なる位置に鏡筒１０２が移動する。また撮像装置１００は、電源ＯＦＦに連動して、光軸Ｏに直交する方向から見て遮蔽部１１１ｂおよび鏡筒１０２が互いに重ならない位置まで鏡筒１０２が移動する。このため、撮像装置１００を光軸方向に小型化することができる。沈胴動作や繰出し動作により、鏡筒１０２はバリアユニット１００ｂに対して図７（ｃ）に示される距離Ｌ２だけ移動する。したがって、鏡筒１０２の移動により、距離Ｌ２だけ小型化することができる。また、ズームレンズ１０１ａに入射する光線がバリアユニット１００ｂにより遮蔽され、撮像素子１１７ａに結像する像にケラレが発生することを防ぐことができる。
【００６８】
また、本実施例の撮像装置１００は、カム環１０４の回転により、鏡筒１０２の光軸方向への駆動およびバリア１１１の開閉駆動を可能としている。鏡筒１０２の駆動とバリア１１１の駆動とを互いに別部材で行うのに比べて、両者の駆動を同一の部材で行うことができるため、撮像装置１００の部品点数の削減や低コスト化が可能となる。
【００６９】
以上のように、本実施例によれば、レンズバリア付きレンズ鏡筒において、小型かつレンズ鏡筒の内部への異物の侵入を防止または低減するレンズ鏡筒および撮像装置を提供することができる。
【００７０】
なお、本実施例は前述の構成に限定されるものではない。例えば、鏡筒ユニット１００ａ（レンズ鏡筒）とカメラボディ１１７（撮像装置本体）とを一体的に構成し、マウント１０５ｂとカメラボディ１１７との隙間を無くし、異物の侵入をより効果的に防止または低減することもできる。また、パッキン１１５の断面は円ではなく、Ｕ型断面、Ｘ型断面、または、リップ部を備えた断面などに変更し、想定される異物に合わせて保護性能や組立性を向上させてもよい。また、防水透湿膜などにより異物の侵入を防ぎながら撮像装置１００の内外を流通する空気の抵抗を低減して、駆動負荷を低減してもよい。また、鏡筒１０２の光軸方向への移動により光学調整を行い、光学性能を向上させてもよい。光学調整により鏡筒１０２を任意の位置に移動しても、異物の侵入を防止または低減することができる。
【実施例２】
【００７１】
次に、図１１を参照して、本発明の実施例２における撮像装置２００について説明する。実施例１に対して異なる部分のみを説明する。図１１（ａ）は、バリアユニット２００ｂの正面図である。図１１（ｂ）は、図１１（ａ）に示される光軸Ｏ、回転軸Ａ、および、回転軸Ｂを通る線Ｅ−Ｅに沿ったバリアユニット２００ｂの断面図である。なお、本実施例の撮像装置２００は、実施例１の撮像装置１００のバリアユニット１００ｂに代えて、バリアユニット２００ｂを有する点で、撮像装置１００とは異なる。撮像装置２００の他の構成は、撮像装置１００と同様であるため、それらの説明については省略する。
【００７２】
２１５は、光軸Ｏを中心とした円環形状の弾性体からなるパッキンである。パッキン２１５の平板部２１５ａには、光軸Ｏを中心として光軸負方向に延出する円筒形状の円筒部２１５ｃが設けられ、その外周が開口部２１０ｃの内周と接着固定されている。円筒部２１５ｃと開口部２１０ｃとの間の領域は、水や埃などの異物が侵入しないように密閉されている。
【００７３】
円筒部２１５ｃの内周には、光軸Ｏを中心とした円環形状のリップ部２１５ｄが設けられている。リップ部２１５ｄは、径方向内側かつ光軸正方向に向かって、光軸Ｏと所定の角度を有して延出している。リップ部２１５ｄの先端の内径Ｄ２は、鏡筒１０２の円筒部１０２ａの外径Ｄ１（図１）よりも大きい（Ｄ２＞Ｄ１）。リップ部２１５ｄの内周は、鏡筒１０２の円筒部１０２ａにより押し広げられるように変形し、リップ部２１５ｄと円筒部１０２ａは、常に径方向に押圧力を発生させながら摺動可能に当接している。このため、バリア地板２１０と鏡筒１０２とが相対移動した場合でも、水や埃などの異物が侵入しないようにバリア地板２１０と鏡筒１０２との間の領域（第２領域）は密閉されている。
【００７４】
本実施例の撮像装置２００は、実施例１と同様の効果を有する。特に、相対移動するバリア地板２１０と鏡筒１０２との間がパッキン２１５により常に密閉されるように構成されている。このため、撮像装置２００の内部に水や埃などの異物が侵入することを防止（低減）することができ、異物が存在する環境下において撮像装置２００は正常に動作可能である。また、実施例１におけるベローズ部１１５ｄとは異なり、バリア地板２１０と鏡筒１０２との相対移動量が大きい場合でも、パッキン２１５の変形量は変わらない。このため、パッキン２１５の設置に必要なスペースが小さくなり、撮像装置２００をより小型化することができる。
【００７５】
このように各実施例において、レンズ鏡筒（鏡筒ユニット１００ａ）は、レンズ（ズームレンズ１０１ａ）、バリア１１１、駆動手段（カム環１０４）、バリア地板１１０、中間部材（回転レバー１１３）、および、密閉手段（パッキン１１５、２１５）を有する。バリア１１１は、レンズを遮蔽または露出させるように回転可能である。駆動手段は、バリアを駆動する。バリア地板１１０は、バリアと駆動手段との間を隔てる。中間部材は、バリア地板を貫通する軸部１１３ａを備え、軸部１１３ａを中心に回転して駆動手段の駆動力を伝達することによりバリアを駆動可能である。密閉手段は、バリア地板と軸部との間の第１領域を密閉する。そして、中間部材の回転中心と光軸との間の第１距離（ＬＢ）は、バリアの回転中心と光軸との間の第２距離（ＬＡ）よりも小さい。好ましくは、レンズ鏡筒は、レンズを保持し、バリア地板に対して光軸方向に進退可能な鏡筒１０２を更に有する。そして密閉手段は、バリア地板と鏡筒との間の第２領域を密閉している
各実施例によれば、異物の侵入を低減可能な小型のレンズ鏡筒および撮像装置を提供することができる。
【００７６】
以上、本発明の好ましい実施形態について説明したが、本発明はこれらの実施形態に限定されず、その要旨の範囲内で種々の変形及び変更が可能である。
【符号の説明】
【００７７】
１００ａ    鏡筒ユニット（レンズ鏡筒）
１０１ａ  ズームレンズ（レンズ）
１０４      カム環（駆動手段）
１１０      バリア地板
１１１      バリア
１１３      回転レバー（中間部材）
１１５、２１５    パッキン（密閉手段）
【図１０】
2016038479.tif 000003
【図１】
2016038479.tif 000004
【図２】
2016038479.tif 000005
【図３】
2016038479.tif 000006
【図４】
2016038479.tif 000007
【図５】
2016038479.tif 000008
【図６】
2016038479.tif 000009
【図７】
2016038479.tif 000010
【図８】
2016038479.tif 000011
【図９】
2016038479.tif 000012
【図１１】
2016038479.tif 000013